(57)【要約】【課題】  本発明の課題は、災害時等の非通常時に高層ビルの人々が避難できるようにするため、高層建築物等の屋上に通常は設置しておくが、非常時には人々を乗せて、高層建築物等の屋上から離脱して安全な場所に、短時間に着地することのできる気球体付ゴンドラを提供することである。【解決手段】  通常時は高層建築物屋上に配置された構築物として利用され、非通常時には高層建築物屋上から移動可能な気球体付ゴンドラであって、空中浮揚手段、姿勢制御手段及び推進手段を有する気球体、気球体とゴンドラとを結合する結合部及び高層建築物屋上に対する係留手段を備えた気球体付ゴンドラである。【選択図】        図１
2009234311.tif 000002
【特許請求の範囲】
【請求項１】
通常時は高層建築物屋上に配置された構築物として利用され、非通常時には高層建築物屋上から移動可能な気球体付ゴンドラであって、空中浮揚手段、姿勢制御手段及び推進手段を有する気球体、気球体とゴンドラとを結合する結合部及び高層建築物屋上に対する係留手段を備えた気球体付ゴンドラ。
【請求項２】
上記気球体の両側面には水平方向にストライプ状の突条が設けられるとともに、その上部には複数の姿勢制御用の空気噴出手段を有する請求項１に記載の気球体付ゴンドラ。
【請求項３】
通常時は高層建築物屋上に配置された構築物の一部として利用され、非通常時には高層建築物屋上に配置された構築物から移動可能な気球体付ゴンドラであって、空中浮揚手段、姿勢制御手段及び推進手段を有する気球体、気球体とゴンドラとを結合する結合部及び高層建築物屋上に配置された構築物に対する係留手段を備えた気球体付ゴンドラ。
【請求項４】
上記気球体の両側面には水平方向にストライプ状の突条が設けられるとともに、その上部には複数の姿勢制御用の空気噴出手段を有する請求項３に記載の気球体付ゴンドラ。
【請求項５】
上記構築物は食堂であり、通常時は食堂の一部として利用され、災害時等の非通常時には係留手段を高層建築物屋上に配置された食堂から切り離し上記推進手段により安全な場所にゴンドラを移動させることを特徴とする請求項３又は４に記載の気球体付ゴンドラ。
【請求項６】
上記構築物は展望設備であり、通常時は展望設備の一部として利用され、災害時等の非通常時には係留手段を高層建築物屋上に配置された展望設備から切り離し上記推進手段により安全な場所にゴンドラを移動させることを特徴とする請求項３又は４に記載の気球体付ゴンドラ。
【発明の詳細な説明】
【技術分野】
【０００１】
本発明は、気球体付ゴンドラに関する。
【背景技術】
【０００２】
近年建築物は、空間の有効利用等を求めて高層化する傾向にある。このような高層建築物では災害時における安全な避難が課題となっている。
【０００３】
例えば災害時に高層建築物の屋上等に取り残された人々を救助するには、ヘリコプタが使用できるが、高層建築物の屋上には、ヘリコプタ用の着地用ボードが設置されているのみで、常時、避難用の気球船等を屋上に配置しておくことはなされていない。
【０００４】
人を乗せて空中を移動する気球船等については、従来より多数の提案がなされている。例えば現在使用されている気球船は、飛行場や広場から人を乗せてゆっくりと移動するものである。そして、気球船は安全性の観点から、高層建築物への接近を回避する装置が取り付けられていて、飛来して屋上に停止して高層建築物の屋上等に取り残された人々を救助することは全く考えられていない。
【特許文献１】特開２００４−２４９９５４号公報
【発明の開示】
【発明が解決しようとする課題】
【０００５】
したがって本発明の課題は、災害時等の非通常時に高層ビルの人々が避難できるようにするため、高層建築物等の屋上に通常は設置しておくが、非常時には人々を乗せて、高層建築物等の屋上から離脱して安全な場所に、短時間に着地することのできる気球体付ゴンドラを提供することである。
【課題を解決するための手段】
【０００６】
本発明は、次のような気球体付ゴンドラを提供するものである。
（１）通常時は高層建築物屋上に配置された構築物として利用され、非通常時には高層建築物屋上から移動可能な気球体付ゴンドラであって、空中浮揚手段、姿勢制御手段及び推進手段を有する気球体、気球体とゴンドラとを結合する結合部及び高層建築物屋上に対する係留手段を備えた気球体付ゴンドラ。
（２）上記気球体の両側面には水平方向にストライプ状の突条が設けられるとともに、その上部には複数の姿勢制御用の空気噴出手段を備えた（１）に記載の気球体付ゴンドラ。
（３）通常時は高層建築物屋上に配置された構築物の一部として利用され、非通常時には高層建築物屋上に配置された構築物から移動可能な気球体付ゴンドラであって、空中浮揚手段、姿勢制御手段及び推進手段を有する気球体、気球体とゴンドラとを結合する結合部及び高層建築物屋上に配置された構築物に対する係留手段を有する気球体付ゴンドラ。
（４）上記気球体の両側面には水平方向にストライプ状の突条が設けられるとともに、その上部には複数の姿勢制御用の空気噴出手段を有する（３）に記載の気球体付ゴンドラ。
（５）上記構築物は食堂であり、通常時は食堂の一部として利用され、災害時等の非通常時には係留手段を高層建築物屋上に配置された食堂から切り離し上記推進手段により安全な場所にゴンドラを移動させることを特徴とする（３）又は（４）に記載の気球体付ゴンドラ。
（６）上記構築物は展望設備であり、通常時は展望設備の一部として利用され、災害時等の非通常時には係留手段を高層建築物屋上に配置された展望設備から切り離し上記推進手段により安全な場所にゴンドラを移動させることを特徴とする（３）又は（４）に記載の気球体付ゴンドラ。
【発明の効果】
【０００７】
本発明の気球体付ゴンドラによれば、災害時等の非通常時に高層建築物内の人々を乗せて避難させることができるとともに、通常時にも高層建築物屋上の構築物又は構築物の一部として有効に活用することができる。
【発明を実施するための最良の形態】
【０００８】
本発明に係る気球体付ゴンドラの実施の形態について、図面を参照して以下詳細に説明する。
なお本発明は、例示した実施の形態のものに限定されないことはいうまでもない。
【０００９】
図１、図２に気球体付ゴンドラの模式図を示す。図１は、気球体付ゴンドラの正面模式図であり、図２は、その側面模式図である。
図において１は、気球体である。気球体は内部に球状体を有しこれを外皮で包囲している。図１、図２から分かるように気球体の形状は、上方部中央は凸弧状になっており、周縁部は内部の球状体を包囲しているので扁平形状となっている。また下方部は細長い逆円錐台形状となっている。
そして気球体内部の球状体には、ヘリウム等の空気より軽い気体が収納され、非通常時にはゴンドラを牽引して空中に浮揚できるようにしてある。
気球体の上記外皮には、軽量かつ強度のある軽合金・炭素繊維等の素材が使用されている。
【００１０】
また気球体には、水平方向にストライプ状の突条２が複数形成されている。これは係留時あるいは浮揚時に風の流れの影響を避け、気球体が横風に対して安定となるようにするものである。さらに気球体の上部には、空気を噴出する手段８が異なる方向に複数個設けられており、必要に応じて空気を噴出して気球体の姿勢を安定させるようにしている。
【００１１】
また気球体の下部には、移動時に気球体を平行方向に移動させる推進手段３が設けられている。更に、推進手段の噴射方向を垂直方向にも可変となるように設定しておけば、気球体の上昇・下降に際し、その推進手段としても利用可能である。
さらに気球体には、風向き、風の強度等の変動に対して姿勢を制御する手段が設けられている。姿勢を制御する手段は、気球体の姿勢を検出するジャイロを含み、これにより姿勢検出信号を得て、空気を噴出する手段８及び必要に応じて上記推進手段３を制御する。
【００１２】
気球体の下部にはゴンドラとの接続部４が設けられている。図１、図２では気球体及びゴンドラは接続部４を介して直結されているが、例えば接続部４としてユニバーサルジョイントを採用して気球体の揺れがゴンドラに及ばないようにすることもできる。
この場合には気球体からの揺れが緩和されるためゴンドラ内は快適な空間となる。
【００１３】
図において５は、人を収容できるゴンドラである。
通常時は、高層建築物屋上の構築物６に収容固定されその一部として利用される。
このためゴンドラには密閉できる出入口が設けられている。出入口は、屋上の構築物との通行に利用される。
【００１４】
図３に、構築物６に一部収容固定されたゴンドラの実施形態を例示する。図３に示すゴンドラは、展望室として利用することができる。
ゴンドラ内には必要に応じてイス等の備品が備えられている。また非通常時に気球体付ゴンドラを操縦する操縦手段が備えられている。
ゴンドラの形状は、下部が狭まった形状のものが好ましい。下部が狭まっていれば、飛来して高層建築物屋上の構築物６の中に収容しやすい利点がある。
【００１５】
構築物６が食堂であれば、構築物６に一部収容される場合には、ゴンドラは展望室又は展望食堂として、また構築物６に全体が収容される場合には、ゴンドラは待合室・料金所等として利用される。
【００１６】
構築物が展望台であれば、ゴンドラは例えばビュフェ等として利用することができる。
気球体付ゴンドラは、災害時等の非通常時には、被災者等を乗せて構築物６から離脱して空中を飛行し安全な場所に短時間で避難することができる。
【００１７】
なおゴンドラを構築物の一部として使用するのではなく、ゴンドラ全体を高層建築物屋上の構築物として利用することも可能である。このような場合には、浮揚のためにより大型の気球体を必要とする。
また本発明における非通常時としては、災害時等に限らず、イベント飛行等一時的な気球体付きゴンドラの使用時も含まれる。
【００１８】
気球体付ゴンドラには、係留手段７が設けられている。
係留手段７は、ゴンドラが移動しないように高層建築物屋上又は高層建築物屋上の構築物６に係留しておくためのものである。実施形態ではゴンドラの下部に突起を設けておき、係留時には高層建築物屋上又は高層建築物屋上の構築物に設けられたアンカーに挿入固定される。
なお本発明の係留手段はこれに限定されず、通常時にゴンドラが移動しないように高層建築物屋上又は高層建築物屋上の構築物に確実に係留しておけるものであればよい。
【００１９】
図４は、気球体付ゴンドラが構築物から離脱あるいは構築物上に着地する時の模式図である。人を乗せて気球体付ゴンドラが構築物から離脱する時は、気球体付ゴンドラは、アンカーから係留手段７を解除し、気球体の浮力及び必要に応じて推進手段３を利用して浮揚する。そして、推進手段３により飛行して、災害時等であれば安全な場所に着地する。
【図面の簡単な説明】
【００２０】
【図１】気球体付ゴンドラの正面模式図である。
【図２】気球体付ゴンドラの側面模式図である。
【図３】気球体付ゴンドラを構築物の一部として利用する時の模式図である。
【図４】気球体付ゴンドラが構築物から離脱あるいは構築物上に着地する時の模式図である。
【符号の説明】
【００２１】
１  気球体
２  突条
３  推進手段
４  結合部
５  ゴンドラ
６  高層建築物屋上の構築物
７  係留手段
８  空気を噴出する手段
【図１】
2009234311.tif 000003
【図２】
2009234311.tif 000004
【図３】
2009234311.tif 000005
【図４】
2009234311.tif 000006